(57)【特許請求の範囲】
【請求項１】
発光源と、該発光源からの光ビームを偏向走査する偏向手段と、該偏向手段により偏向走査された光ビームを像担持体の被走査面に結像する結像手段とを有する光走査装置において、
前記発光源と前記偏向手段とを備える光走査モジュールを主走査方向に配列して複数個実装する基板面を有する第１の保持手段と、
前記光走査モジュールから射出した光ビームを前記像担持体に結像する結像手段を保持する第２の保持手段とを備え、
前記第１の保持手段の前記基板面が、前記像担持体との平行度を保つと同時に、前記像担持体との距離を一定に保つように、前記基板面を前記第２の保持手段に当接して、前記第１の保持手段を前記第２の保持手段で着脱可能に保持することを特徴とする光走査装置。
【請求項２】
請求項１記載の光走査装置において、
前記第２の保持手段には、前記像担持体または像担持体を支持する像担持体支持手段と当接する位置決め部を具備してなることを特徴とする光走査装置。
【請求項３】
請求項１記載の光走査装置において、
前記第２の保持手段には、前記第１の保持手段を、該第１の保持手段からの光ビームの射出方向が前記結像手段の光軸方向と一致するように位置規制を行う係止部を具備してなることを特徴とする光走査装置。
【請求項４】
請求項１記載の光走査装置において、
前記第１の保持手段には、前記発光源及び偏向手段への電気配線を行う端子部を具備するとともに、前記第２の保持手段に対する着脱に応じて端子部の接続、切断がなされることを特徴とする光走査装置。
【請求項５】
像担持体と、該像担持体に光ビームを照射して潜像を書き込む光書込手段と、像担持体に形成された潜像を現像して可視像化する現像手段と、像担持体上に形成された可視像を転写材に転写する転写手段と、転写材上に転写された画像を定着する定着手段を備えた画像形成装置において、
前記光書込手段として請求項１〜４のうちの何れか一つに記載の光走査装置を具備したことを特徴とする画像形成装置。
【請求項６】
請求項５記載の画像形成装置において、
装置本体から前記光走査装置を取り外すことなしに、前記第１の保持手段を着脱可能としたことを特徴とする画像形成装置。
【発明の詳細な説明】
【０００１】
【発明の属する技術分野】
本発明は、像担持体への光書込手段として用いられる光走査装置及びその光走査装置を具備したデジタル複写機、レーザプリンタ、レーザプロッタ、ファクシミリ等の画像形成装置に関する。
【０００２】
【従来の技術】
従来、光走査装置にて像担持体（例えば感光体）の広い範囲を露光しようとすると、ポリゴンミラーや走査レンズ等の光学部品が大型化され、また、高画質を維持するためには部品精度が要求される。
そこで、特開平３−１６１７７８号公報や特開平１０−１９７８１１号公報に開示されるように、感光体の露光範囲を分割し、分割された各々に小型の光走査装置を設けて走査露光する方式がある。
この方式においては、光走査装置を構成する光源手段、偏向器、結像手段を高精度なハウジングに取り付けることで光走査装置全体としての走査性能を確保し、さらに、光走査装置間の配置調節によって各走査線の継ぎ目を合わせている。
しかしながら、このような方式では、光源手段や偏向器の交換を行った場合、光走査装置間の配置調節もやり直さなければならず、組立が複雑で工数がかかるため、リサイクルには不向きであるという欠点がある。
【０００３】
また、特開平３−２２３８７６号公報には、光源部を有する回路基板に配線を統合した例が示されている。これにより、従来のようなケーブル接続の手間は省けるが、この基板を交換するには光走査装置を取り外さなければならず、再度の組立の際には配置調節が必要となる点は変わらない。
【０００４】
【発明が解決しようとする課題】
ところで、光走査装置のリサイクル時には、ハウジングや結像手段のように記録密度や速度など画像形成装置の仕様によって左右されないものと、光源手段や偏向器のように年々陳腐化してしまうものとでは耐用年数が異なるため、分離して扱える構造であることが望まれる。
また、前述した従来技術のような再生に工数がかかる構造ではなく、組立が簡単で、かつ容易に品質保証が可能な構造であることが望まれる。
【０００５】
本発明は上記事情に鑑みなされたものであって、上述の課題を解決し、リサイクル性を向上した光走査装置及び画像形成装置を提供することを目的とする。また、本発明では、上記目的に加えて、光走査装置と像担持体との配置精度を組立ばらつきによらず確実に維持できるようにすることで、再生後の画像品質を向上することを目的とし、さらには、組立工数を削減し、再生にかかるコストを低減することを目的とする。
【０００６】
【課題を解決するための手段】
上記目的を達成するため、請求項１に係る発明は、発光源と、該発光源からの光ビームを偏向走査する偏向手段と、該偏向手段により偏向走査された光ビームを像担持体に結像する結像手段とを有する光走査装置において、前記発光源と前記偏向手段とを備える光走査モジュールを主走査方向に配列して複数個実装する基板面を有する第１の保持手段と、前記光走査モジュールから射出した光ビームを前記像担持体に結像する結像手段を保持する第２の保持手段とを備え、前記第１の保持手段の前記基板面が、前記像担持体との平行度を保つと同時に、前記像担持体との距離を一定に保つように、前記基板面を前記第２の保持手段に当接して、前記第１の保持手段を前記第２の保持手段で着脱可能に保持することを特徴とする
【０００７】
請求項２に係る発明は、請求項１記載の光走査装置において、前記第２の保持手段には、前記像担持体または像担持体を支持する像担持体支持手段と当接する位置決め部を具備してなることを特徴とするものである。
また、請求項３に係る発明は、請求項１記載の光走査装置において、前記第２の保持手段には、前記第１の保持手段を、該第１の保持手段からの光ビームの射出方向が前記結像手段の光軸方向と一致するように位置規制を行う係止部を具備してなることを特徴とするものである。
さらに、請求項４に係る発明は、請求項１記載の光走査装置において、前記第１の保持手段には、前記発光源及び偏向手段への電気配線を行う端子部を具備するとともに、前記第２の保持手段に対する着脱に応じて端子部の接続、切断がなされることを特徴とするものである。
【０００８】
請求項５に係る発明は、像担持体と、該像担持体に光ビームを照射して潜像を書き込む光書込手段と、像担持体に形成された潜像を現像して可視像化する現像手段と、像担持体上に形成された可視像を転写材に転写する転写手段と、転写材上に転写された画像を定着する定着手段を備えた画像形成装置において、前記光書込手段として請求項１〜４のうちの何れか一つに記載の光走査装置を具備したことを特徴とするものである。
請求項６に係る発明は、請求項５記載の画像形成装置において、装置本体から前記光走査装置を取り外すことなしに、前記第１の保持手段を着脱可能としたことを特徴とするものである。
【０００９】
【発明の実施の形態】
以下、本発明の構成、動作及び作用について、図示の実施例に基づいて詳細に説明する。
図１は本発明の第1の実施例を示す図であって、光走査装置に配備される光走査モジュールを分解した状態で示す斜視図である。
図１において、光走査モジュールは、発光源である半導体レーザチップ（ＬＤチップ）１０８と、ＬＤチップ１０８からの光ビームをカップリングするカップリングレンズ１１０と、カップリングレンズ１１０を通過した光ビームを折り返すＳｉ基板ミラー１１２と、そのＳｉ基板ミラー１１２で折り返された光ビームを偏向走査する偏向手段である可動ミラー１００と、これらの部品を支持する支持基板１０７とから構成されている。
【００１０】
より詳しく述べると、可動ミラー１００は静電引力で駆動されるものであり、ミラー基板は２枚のＳｉ基板１０２，１０３を接合して構成される。この可動ミラー１００及びそれを軸支するトーションバー１０１は、第１のＳｉ基板１０２をエッチングにより所望の形状に孔を貫通して形成する。そして、所望の形状にエッチングした第１のＳｉ基板１０２の中央部には金属被膜を蒸着するなどしてミラー面を形成し、トーションバー１０１を挟んで可動ミラー１００の両端部は櫛型に凹凸のある平面形状となし、その側面には電極１０４を形成する。
【００１１】
また、第２のＳｉ基板１０３にはミラー部の揺動空間として上記可動ミラー形状に合わせて互いに凹凸が重なり合う側面を形成した貫通部が設けられ、可動ミラー１００の支持基板をなす。そして、上記側面には上記電極１０４の各端に対向して図示しない一対の固定電極を上記電極１０４とは揺動方向に離隔して形成しており、この固定電極に交互に電圧を印加することにより、電極間で静電引力を発生し、トーションバー１０１を回転軸として可動ミラー１００を往復振動することができる。
尚、本実施例では駆動電圧を低減するため、櫛型形状として対向する電極の面積を拡大しているが、これに限らない。
【００１２】
上記可動ミラー１００のミラー基板の上面には対向ミラー基板１０５が接合される。この対向ミラー基板１０５もＳｉ基板にて形成され、上記可動ミラー１０１に対向する裏面側に反射面１０６が設けられている。ＬＤチップ１０８からの光ビームは副走査方向に設けられた一方の開口から斜めに入射され可動ミラー１００と上記反射面１０６との間で複数回反射を繰り返しながら副走査方向に進むと同時に走査角を拡大し、もう一方の開口から射出される。
【００１３】
支持基板１０７は焼結金属等で成型され、絶縁材を介してリード端子１１５が挿入されてなる。支持基板１０７には上記したミラー基板１０３を接合する接合面１０７-1、カップリングレンズ１１０を位置決め接着するＶ溝１０７-2、接合面１０７-1と垂直に形成したＬＤチップ１０８の実装面１０７-3、ＬＤチップ１０８の背面光を受光するモニタ用フォトダイオードチップ（ＰＤチップ）１０９の実装面１０７-4、ＬＤチップ１０８からの光ビームを可動ミラー１００へ折り返すＳｉ基板ミラー１１２の接合部１０７-5が形成される。
また、上記の可動ミラー１００の部分は、光ビームの入射開口１１６-2と射出開口１１６-3を有する遮光部材１１６で覆われており、この遮光部材１１６の入射開口１１６-2を有する折曲辺部は、可動ミラー１００のミラー基板とカップリングレンズ１１０の間で支持基板１０７に支持され、遮光部材１１６の他端側の２個所に設けられた舌片部１１６-1は、折り返し用Ｓｉ基板ミラー１１２の背面側に当接され支持されている。
【００１４】
円筒状のカップリングレンズ１１０は第１面が軸対称の非球面、第２面が副走査方向に曲率を有するシリンダ面である。支持基板１０７のＶ溝１０７-2はカップリングレンズ１１０の円筒外周面が当接した際、光軸がＬＤチップ１０８の発光点に合うように幅と角度が設定され、光軸方向の調整にて発散光束を主走査方向には略平行光束に、副走査方向には可動ミラー面で集束する集束光束となすようにして接着固定される。
ＬＤチップ１０８、モニタ用ＰＤチップ１０９及び上記した固定電極は、各々リード端子１１５の上側に突出した端部との間でワイヤーボンディングにより電気的接続がなされる。
【００１５】
光走査モジュールのカバー１１１は板金にてキャップ状に成型され、上面に設けられた光ビームの射出開口にはガラス板１１７が接合されてなり、上記支持基板１０７の外周に設けられた段部１０７-6に嵌め込まれてＬＤチップ１０８、カップリングレンズ１１０、可動ミラー１００及びそのミラー基板、折り返し用Ｓｉ基板ミラー１１２等の支持面を密封してモジュールを構成する。
【００１６】
次に図２は本発明の第１の実施例における光走査装置の断面図、図３、図４はその光走査装置の外観斜視図、ハウジング内部の透視図をそれぞれ示している。
図１に示す構成からなる光走査モジュール２００は、ＬＤチップ１０８の駆動回路、可動ミラー１００の駆動回路を構成する電子部品が実装されるプリント基板（第１の保持手段）２０１上に主走査方向に配列して複数個（本実施例では３個）実装される。実装の際、上記支持基板１０７の底面は下側に突出したリード端子１１５をスルーホールに通してプリント基板２０１に当接され、スルーホールのクリアランス内で基板上での光走査モジュール間の位置合わせを行い仮止めし、他の電子部品と共にハンダ付けして一括して固定される。
上記ＬＤチップ１０８の駆動回路では、送信されてくる画像データに応じてＬＤチップ１０８を変調するとともに、モニタ用ＰＤチップ１０９で検出されたＬＤチップ１０８の背面光量に応じてＬＤチップ１０８の発光出力を一定に保つよう印加電流を制御する。また、可動ミラー１００の駆動回路では、電極１０４に可動ミラー１００の共振周波数に合わせた周期のパルス状電圧を印加し、可動ミラー１００を振動させる。
【００１７】
複数の光走査モジュール２００を支持したプリント基板２０１は、第２の保持手段であるハウジング２０２の下側開口を塞ぐように当接され、ハウジング２０２に一体で設けられた一対のスナップ爪２０２-1間に抱え込んで保持され、感光体軸との平行度を保つと同時に感光体ドラム２２０との距離を一定に保つことができるようになっている。
また、このスナップ爪２０２-1は、プリント基板（第１の保持手段）２０１上の光走査モジュール２００からの光ビームの射出方向が、結像手段を構成する第１、第２の走査レンズ２０３，２０４の光軸方向と一致するように位置規制を行う係止部である。
ここで図３に示すように、ハウジング２０２に一体で設けられた一対のスナップ爪２０２-1は長手方向（主走査方向）の中央と両端の３個所に設けられ、各々のスナップ爪２０２-1の突き当て部２０５と爪部２０６によりプリント基板２０１の端部が挟まれて固定されているが、スナップ爪２０２-1の爪部２０６を矢印Ａ方向に撓ませることにより、容易にプリント基板２０１の着脱ができる構造となっている。また、中央のスナップ爪２０２-1はプリント基板２０１の切り欠き部２０７に係合して長手方向の位置決めを行う。
尚、本実施例では工具を用いないでプリント基板２０１をハウジング２０２から着脱可能な構成としているが、ねじ止めなどによってプリント基板２０１をハウジング２０２に固定してもよい。
【００１８】
図２、図４に示すように、第２の保持手段であるハウジング２０２の内部には結像手段を構成する第１の走査レンズ２０３を主走査方向に配列して接合する位置決め面、第２の走査レンズ２０４を保持する位置決め部及び図示しない同期ミラー２０８の保持部が形成されている。本実施例では各光走査モジュール２００に対応する第２の走査レンズ２０４を樹脂にて一体的に形成し、ハウジング２０２の光ビームを射出する開口には外側より取り付けている。
同期ミラー２０８は各光走査モジュール２００の走査開始側の光ビームを反射し、プリント基板２０１上に実装した同期検知センサ２０９（ＰＩＮフォトダイオード等）に導くことで同期検知信号を発生し、記録開始のタイミングを取っている。
また、図４中の符号２１０はコネクタであり、基板下側よりプラグを挿入することで全ての光走査モジュール２００について、ＬＤチップおよび可動ミラーの駆動回路、同期検知センサへの電源供給やデータ信号などのやり取りを一括して行えるようにしている。
【００１９】
さらに図３に示すように、ハウジング２０２の両側面には、後述する感光体ドラムを保持するカートリッジに感光体ドラムと同心に設けられた円筒面に合わせて突き当て面を有する位置決め部材２１１が取り付けられている。
この位置決め部材２１１はハウジング２０２の突起部２１２に、ねじにより固定された後、Ｌ字状に設けた座面を画像形成装置本体側のフレーム（図示せず）に設けられたピン２１３にスプリング２１４を介して配備されるので、上記カートリッジに常に押し付けられた状態で保持され、複数の光走査モジュール２００の被走査面（感光体ドラム表面）に対する位置決めを一括して確実に行えるようになっている。
【００２０】
次に図７は本発明に係る画像形成装置の一実施例を示す図であって、上記光走査装置をレーザプリンタに適用した例を示す。
像担持体である光導電性の感光体ドラム５０１の周囲には、感光体ドラム５０１を高圧に帯電する帯電ローラ５０２、光書込手段である光走査装置５００により感光体ドラム上に記録された静電潜像にトナーを付着して顕像化する現像ローラ５０３、トナーを備蓄するトナーホッパ５０４、転写材である用紙にトナー像を転写した後の感光体ドラム上の残トナーをブレードで掻き取り蓄積するクリーニングケース５０５が配備され、交換可能なカートリッジ５１２として一体的に構成されている。
また、光書込手段である光走査装置５００は上記カートリッジ５１２の下方に配置され、前述したようにハウジング２０２の両側面に設けられた位置決め部材２１１の突き当て面を、カートリッジ５１２の感光体ドラムと同心に設けられた円筒面に突き当てた状態で位置決めされている。
【００２１】
帯電、光書込、現像の作像プロセスが開始されると、用紙は給紙トレイ５０６から給紙コロ５０７により供給され、搬送路を左回りに搬送される。レジストローラ対５０８は作像プロセスのタイミングに合わせて用紙を送り出し、転写器５１３の位置にて同方向に回転する感光体ドラム５０１より用紙に画像が転写される。そして用紙上に転写された画像は定着ローラ対５０９で定着され、定着後の用紙は排紙トレイ５１０に排出される。
尚、装置本体の上部に設けられた装置カバー５１１は軸支されており、上記カートリッジ５１２を交換する際やジャムを起こした用紙を取り除く際には開放される。また、光走査装置５００の第２の走査レンズ２０４はカートリッジ５１２を取り除くことで交換することができるようになっている。
【００２２】
次に図５、図６は本発明の第２の実施例を示す図であって、図５は光走査モジュールが実装されたプリント基板（第１の保持手段）の斜視図、図６は上記プリント基板を保持するハウジング（第２の保持手段）の外観を示す斜視図である。
尚、光走査モジュール３００の構成は図１に示した光走査モジュールと同様であるので説明は省略する。
【００２３】
図６に示すようにハウジング３０２は、画像形成装置本体のフレームを構成する側板３０２ａ，３０２ｂと一体的に樹脂成形されている。ハウジング内部の形態は前述の実施例と略同様であり、第1の走査レンズ（図示せず）は図２，４と同様にハウジング３０２の内側に主走査方向に配列して接合され、第２の走査レンズ（図示せず）は図２〜４と同様にハウジング３０２の開口部３０２-1に保持されている。
プリント基板３０１は側板３０２ａに設けられた角穴３０２-2よりハウジング３０２内に挿入され、短手方向側面の凹溝３０２-3に沿って挿入され、下側開口部を塞ぐように支持され、短手方向を内側面の幅で規制することで感光体軸との平行度を保つと同時に厚さ方向にも上下幅で規制することで感光体ドラムとの距離を保つことができる。
【００２４】
プリント基板３０１の奥側端部には電極３０３がパターンニングされ、この電極３０３は、画像形成装置本体のフレームの奥側板３０２ｂの外側に固定された基板３０６に配備されたコネクタ３０７に接続され、プリント基板３０１の電気配線が行われる。
また、プリント基板３０１は挿入の最後に手前側の側板３０２ａに形成されたＬ字部３０２-4が穴３０４に係合して長手方向の位置規制が行われ、このＬ字部を下側に撓ませることで容易に着脱ができるようになっている。
さらに図６中の符号３０２-5は、図７に示すようなレーザプリンタの感光体ドラム５０１を保持するカートリッジ５１２の感光体ドラムと同心に設けられた円筒面に合わせて形成された突き当て面であり、この突き当て面３０２-5をカートリッジ５１２の円筒面に突き当てて位置決めすることにより、複数の光走査モジュール３００の被走査面（感光体ドラム表面）に対する位置決めを一括して確実に行えるようになっている。
【００２５】
尚、以上に示した実施例では、光走査モジュールの配列数を３としたが、これに限らず、主走査の記録幅に応じて配列数を増減することができ、当然、単数であってもよい。
また、光走査モジュールの偏向手段として可動ミラーを用いているが、ポリゴンミラー等の偏向手段を用いても効果は同様である。
さらにまた、図７に画像形成装置の一実施例としてレーザプリンタの構成例を示したが、画像形成装置の構成としてはこれに限らず、感光体等の像担持体に光ビームを照射して潜像を書き込む光書込手段として光走査装置を用いる構成の画像形成装置（デジタル複写機、レーザプリンタ、レーザプロッタ、ファクシミリ等）であれば、本発明を同様に実施することができる。
【００２６】
【発明の効果】
以上説明したように、請求項１記載の光走査装置においては、発光源（ＬＤチップ）と偏向手段（可動ミラー）とを備える光走査モジュールを主走査方向に配列して複数個実装する基板面を有する第１の保持手段（プリント基板）と、光走査モジュールから射出した光ビームを像担持体に結像する結像手段（第１走査レンズ、第２走査レンズ）を保持する第２の保持手段（ハウジング）とを分離して個別に設けるとともに、第１の保持手段（プリント基板）の基板面が、像担持体との平行度を保つと同時に、像担持体との距離を一定に保つように、基板面を第２の保持手段（ハウジング）に当接して、第１の保持手段を第２の保持手段（ハウジング）で着脱可能に保持することにより、第２の保持手段によって結像手段と像担持体（感光体ドラム）との配置精度は保たれたまま比較的耐用年数の短い発光源や偏向手段を容易に交換することができるので、分解、再組立に手間がかからないリサイクル性を向上した光走査装置を得ることができる。
【００２７】
請求項２記載の光走査装置においては、請求項１の構成に加えて、前記第２の保持手段（ハウジング）には、像担持体または像担持体を支持する像担持体支持手段（カートリッジ）と当接する位置決め部を具備してなることにより、繰り返し組立によっても結像手段と像担持体との配置精度を維持することができるので、再生後の品質保証が容易な光走査装置を得ることができる。
【００２８】
請求項３記載の光走査装置においては、請求項１の構成に加えて、前記第２の保持手段（ハウジング）には、第１の保持手段（プリント基板）を、第１の保持手段からの光ビームの射出方向が前記結像手段の光軸方向と一致するように位置規制を行う係止部を具備したことにより、偏向手段で走査される走査平面と結像手段への入射平面とを繰り返し組立によっても揃えることができるので、再生後の品質保証が容易な光走査装置を得ることができる。
【００２９】
請求項４記載の光走査装置においては、請求項１の構成に加えて、前記第１の保持手段（プリント基板）には発光源及び偏向手段への電気配線を行う端子部を具備するとともに、前記第２の保持手段（ハウジング）に対する着脱に応じて端子部の接続、切断がなされることにより、配線ケーブルを接続する手間が省けるので組立時間が短縮され、リサイクルにかかるコストを低減することができる。
【００３０】
請求項５記載の画像形成装置においては、光書込手段として請求項１〜４のうちの何れか一つに記載の光走査装置を具備したことにより、光書込部の組立性やリサイクル性を向上した画像形成装置を得ることができる。
また、請求項６記載の画像形成装置においては、請求項５の構成に加えて、装置本体から前記光走査装置を取り外すことなしに、前記第１の保持手段を着脱可能としたことにより、清掃により機能回復がなされる第２の保持手段部を据え置き、物理的なストレスにより劣化する第１の保持手段部のみを交換できるうえ、記録密度や記録速度などの年々グレードアップする仕様面での陳腐化にも対処できるので、商品価値が低下しない、リサイクル性を向上した画像形成装置を得ることができる。
【図面の簡単な説明】
【図１】本発明の第1の実施例を示す図であって、光走査装置に配備される光走査モージュールを分解した状態で示す斜視図である。
【図２】本発明の第１の実施例における光走査装置の断面図である。
【図３】本発明の第１の実施例における光走査装置の外観を示す斜視図である。
【図４】本発明の第１の実施例における光走査装置のハウジング内部を透視して示す斜視図である。
【図５】本発明の第２の実施例における光走査装置のプリント基板の斜視図である。
【図６】本発明の第２の実施例における光走査装置の外観を示す斜視図である。
【図７】本発明に係る画像形成装置の一実施例を示す概略断面構成図である。
【符号の説明】
１００      可動ミラー（偏向手段）
１０１      トーションバー
１０２      第１のＳｉ基板
１０３      第２のＳｉ基板
１０４      電極
１０５      対向ミラー基板
１０６      反射面
１０７      支持基板
１０８      ＬＤチップ（発光源）
１０９      モニタ用ＰＤチップ
１１０      カップリングレンズ
１１１      カバー
１１２      Ｓｉ基板ミラー
１１５      リード端子
１１６      遮光部材
１１７      ガラス板
２００      光走査モジュール
２０１      プリント基板（第１の保持手段）
２０２      ハウジング（第２の保持手段）
２０３      第１の走査レンズ（結像手段）
２０４      第２の走査レンズ（結像手段）
２０５      突き当て部
２０６      爪部
２０７      切り欠き部
２０８      同期ミラー
２０９      同期検知センサ
２１０      コネクタ
２１１      位置決め部材
２１２      突起部
２１３      ピン
２１４      スプリング
２２０      感光体ドラム（像担持体）
３００      光走査モジュール
３０１      プリント基板（第１の保持手段）
３０２      ハウジング（第２の保持手段）
３０３      電極
３０４      穴
３０６      基板
３０７      コネクタ
３０８      同期検知センサ
５００      光走査装置
５０１      感光体ドラム（像担持体）
５０２      帯電ローラ
５０３      現像ローラ
５０４      トナーホッパ
５０５      クリーニングケース
５０６      給紙トレイ
５０７      給紙コロ
５０８      レジストローラ対
５０９      定着ローラ対
５１０      排紙トレイ
５１１      装置カバー
５１２      カートリッジ
５１３      転写器
【図１】
0004574037.tif 000002
【図２】
0004574037.tif 000003
【図３】
0004574037.tif 000004
【図４】
0004574037.tif 000005
【図５】
0004574037.tif 000006
【図６】
0004574037.tif 000007
【図７】
0004574037.tif 000008